(57)【要約】【課題】狭い隙間に設置しつつ、コスト増や大型化を防止しながら、盗難の危険性も減少させる金券識別装置用収納器具および金券識別装置を提供する。【解決手段】本発明の金券識別装置用収納器具１は、金券識別装置１００の筐体１０１内部に格納および筐体１０１内部の出口１１０からの排出が可能である金券識別装置用収納器具１であって、金券を収納可能な保管部２と、保管部２の一方の開口部４であって、金券識別装置の出口側の開口部（以下、「第１開口部４」という）に設けられる回動可能な蓋５と、を備え、保管部２の側面の少なくとも一方は、出口を基準に金券識別装置内部での前後移動を可能とする歯車と嵌合する嵌合歯１１を有し、蓋５は、収納器具１が金券識別装置１００内部に格納されている場合には、金券識別装置１００の露出面における出口１１０を塞ぎ、蓋５は、収納器具１が、出口１１０から排出された後で回動可能である。【選択図】図１
2014081854.tif 000002
【特許請求の範囲】
【請求項１】
金券識別装置の筐体内部に格納および筐体内部の出口からの排出が可能である金券識別装置用収納器具であって、
金券を収納可能な保管部と、
前記保管部の一方の開口部であって、前記金券識別装置の前記出口側の開口部（以下、「第１開口部」という）に設けられる回動可能な蓋と、を備え、
前記保管部の側面の少なくとも一方は、前記出口を基準に前記金券識別装置内部での前後移動を可能とする歯車と嵌合する嵌合歯を有し、
前記蓋は、前記収納器具が前記金券識別装置内部に格納されている場合には、前記金券識別装置の露出面における前記出口を塞ぎ、
前記蓋は、前記収納器具が、前記出口から排出された後で回動可能である、金券識別装置用収納器具。
【請求項２】
前記蓋は、前記金券識別装置用収納器具が、前記筐体に格納されている場合には、前記金券識別装置の露出面であって、前記出口を形成する面と、略同一平面上に存在する、請求項１記載の金券識別装置用収納器具。
【請求項３】
前記蓋の面積および形状の少なくとも一方は、前記第１開口部の面積および形状と略同一であるもしくは大きい、請求項１又は２記載の金券識別装置用収納器具。
【請求項４】
前記出口の開口面積および前記蓋の面積および形状の少なくとも一方は略同一であるか、もしくは前記出口の開口面積は前記蓋の面積より小さい、請求項１から３のいずれか記載の金券識別装置用収納器具。
【請求項５】
前記蓋は、前記金券識別装置用収納器具が、前記筐体内部に格納されている場合には、回動不可である、請求項１から４のいずれか記載の金券識別装置用収納器具。
【請求項６】
前記蓋は、前記収納器具が前記出口から排出された後では、手動および自動の少なくとも一方で回動可能である、請求項１から５のいずれか記載の金券識別装置用収納器具。
【請求項７】
前記蓋は、前記保管部の移動方向に交差する方向に回動可能であり、前記蓋は、前記回動方向の一方に圧力を付与する弾性体を有する、請求項６記載の金券識別装置用収納器具。
【請求項８】
前記弾性体は、前記蓋を、前記保管部の前記第１開口部を塞ぐ位置に保たせるように、圧力を付与する、請求項７記載の金券識別装置用収納器具。
【請求項９】
前記弾性体は、前記蓋を、前記保管部の前記第１開口部を露出させる位置に保たせるように、圧力を付与する、請求項７記載の金券識別装置用収納器具。
【請求項１０】
前記保管部は、金券を収納可能な形状および内部空間を有しており、前記内部空間は、少なくとも前記保管部の底と、前記底と対向する表面と、前記金券識別装置用収納器具の移動方向に沿った側壁部材と、前記第１開口部および前記第１開口部と対向する端部部材と、で形成される、請求項１から９のいずれか記載の金券識別装置用収納器具。
【請求項１１】
前記移動方向は、前記金券識別装置用収納器具の排出および挿入方向であり、
前記移動方向への駆動を生じさせる排出駆動手段と嵌合する嵌合歯を、前記側壁部材の少なくとも一部が有し、前記嵌合歯に前記排出駆動手段からの駆動力が伝達されることで、前記金券識別装置用収納器具が前記移動方向に移動可能となる、請求項１０記載の金券識別装置用収納器具。
【請求項１２】
前記側壁の一部は、前記移動方向への移動をロックするロック部材が挿入可能な挿入部を有し、前記ロック部材の少なくとも一部が、前記挿入部に挿入されると、前記金券識別装置用収納器具は、前記排出駆動手段の駆動力が付与される場合でも、前記移動方向に移動できない、請求項１０又は１１記載の金券識別装置用収納器具。
【請求項１３】
前記ロック部材は、前記挿入部に挿入される方向に圧力を付与する弾性体および当該弾性体の位置を変化させる回動部材を、更に備える、請求項１２記載の金券識別装置用収納器具。
【請求項１４】
前記回動部材は、通常状態では、前記弾性体を前記挿入部方向に押し付け、排出状態では、前記弾性体を前記挿入方部方向と逆側に押し戻す、請求項１２記載の金券識別装置用収納器具。
【請求項１５】
前記回動部材は、前記弾性体の位置を変化させる突起を有し、前記通常状態では前記突起を第１位置に設定し、前記排出状態では、前記突起を第２位置に設定し、前記回動部材は、前記第１位置と前記第２位置との間を往復運動のように回動する、請求項１４記載の金券識別装置用収納器具。
【請求項１６】
前記排出駆動手段は、前記嵌合歯との嵌合を離隔する離隔機構および前記排出駆動手段と前記嵌合歯とを動力伝達で伝達する伝達部材の伝達を停止させる停止機構の少なくとも一つで、前記金券識別装置用収納器具の排出を防止する、請求項１２から１５のいずれか記載の金券識別装置用収納器具。
【請求項１７】
前記金券は、紙幣、紙葉類、有価紙類、プリペイドカード、ＩＣカードおよびＩＤカードの少なくとも一つを含む、請求項１から１６のいずれか記載の金券識別装置収納器具。
【請求項１８】
請求項１から１６のいずれか記載の金券識別装置用収納器具と、
筐体と、
前記筐体の前方に設けられ、金券の挿入を受け付ける挿入口と、
前記筐体の前方および後方の少なくとも一方に設けられ、前記金券識別装置用収納器具を排出する出口と、
前記金券の挿入方向の後段に設けられ、挿入された金券を識別する識別部と、
前記識別部で識別された前記金券を、前記金券識別装置用収納器具に搬送する搬送部と、を備え、
前記搬送部および前記金券識別装置用収納器具とは、前記挿入方向に略平行な同一平面上に配置され、
前記搬送部での前記金券を搬送する搬送駆動手段および前記排出駆動手段は、前記搬送部および前記金券識別装置用収納器具と、前記挿入方向と略垂直な位置に配置される、金券識別装置。
【発明の詳細な説明】
【技術分野】
【０００１】
本発明は、自動販売機、自動貸出機など、お金の投入に合わせて商品等を提供する機器に使用される紙幣の識別を行う金券識別装置に格納される金券識別装置用収納器具および金券識別装置に関する。
【背景技術】
【０００２】
自動販売機や自動貸出機などが、街中、商店内部、集合建造物内部などの様々な場所に設置されている。外国においても自動販売機や自動貸出機が設置されているが、治安や貨幣価値の安定性といった我が国特有の事情に基づき、我が国においては、非常に多数の自動販売機や自動貸出機が設けられている。
【０００３】
また、パチンコ機やスロットマシン機といった遊戯用機械が設置された遊技場も広く普及している。これらのパチンコ機やスロットマシン機が設置された遊技場では、遊戯者が遊戯に必要となるパチンコ玉やコインの貸し出しを受けるために自動貸出機が設置されている。このような自動貸出機には、遊戯者が硬貨、紙幣、プリペイドカード、ＩＣカード、ＩＤカードなどを投入して、投入された金額（あるいは遊戯者が指定した金額）に対応するパチンコ玉やコインを提供する。このため、自動貸出機には、投入された紙幣やプリペイドカードなど（以下、「金券」という）の真贋、種類（金額）を識別しつつ、必要に応じて一時的に紙幣を保管する金券識別装置が設置される。
【０００４】
もちろん、一般に設置されている飲料や交通切符などの自動販売機でも、同様の金券識別装置が設置される。
【０００５】
このような自動販売機や自動貸出機には、様々なスペックに対応する金券識別装置が設置される。このような金券識別装置として、いくつかの技術が提案されている（例えば、特許文献１、２参照）。
【先行技術文献】
【特許文献】
【０００６】
【特許文献１】特開２００６−２５４９７０号公報
【特許文献２】特開２００６−２６４９７７号公報
【発明の概要】
【発明が解決しようとする課題】
【０００７】
特許文献１は、挿入された紙幣を収容する収容ケースと、収容ケースに収容された紙幣を排出するための押し出しモータとを、紙幣識別および収容の機能として備える遊戯媒体貸出機を開示する。ここで、管理サーバは、リモコン機より遊技媒体貸出機に収容された紙幣の排出指令信号を出力して、この排出指令信号が遊技媒体貸出機及びネットワーク回線を介して受信された際に、複数の遊技媒体貸出機に対して所定の時間差をもって排出指令信号を出力する。このような構成によって、遊戯媒体貸出機の使い勝手を良くすることが提案されている。
【０００８】
しかしながら、特許文献１に開示される技術では、紙幣等を搬送する駆動手段や、収容される紙幣を回収する際の搬送手段に、複雑なモータや駆動機構を有しており、機械そのものが煩雑であるという問題を有していた。また、機械が煩雑であることで、小型化や薄型化が困難となり、パチンコ機やスロットマシン機の間などに設置しにくい問題も生じさせる。
【０００９】
パチンコ機やスロットマシン機を多数備える遊技場では、配置される多くのパチンコ機やスロットマシン機同士の間の隙間に、パチンコ玉やコインなどの自動貸出機を設置する必要がある。紙幣識別器はこの自動貸出機と合わせて構成されるので、紙幣識別機もパチンコ機やスロットマシン機同士の隙間に設置される必要がある。特許文献１に開示される装置では、このような隙間への設置も難しい問題がある。
【００１０】
特許文献２に開示される紙幣処理装置は、紙幣処理口から挿入された紙幣を搬送する紙幣搬送機構７と、紙幣処理口に挿入された紙幣の有効性を識別する紙幣識別センサ３１と、紙幣が挿入方向に沿って搬送状態にあり、かつ紙幣識別センサ３１が紙幣の有効性を検知しているとき、搬送状態にある紙幣の先端を湾曲案内するガイド板３９ａ，３９ｂと、紙幣搬送機構７に対して並設される紙幣収容部と、挿入された紙幣が有効であった場合、当該紙幣を紙幣処理口側に一定の距離搬送するように紙幣搬送機構７をスイッチバック制御する制御手段と、スイッチバックされた紙幣を紙幣収容部に積層収容させ、かつ次に挿入される紙幣との間で仕分けを行なう仕分け機構５０とを有する。
【００１１】
特許文献２に開示される紙幣処理装置は、紙幣の挿入と識別および収容を実現できる。しかしながら、搬送に係る駆動装置や駆動機構が、収容部や搬送部に設けられることで、装置全体が複雑となる。この結果、パチンコ機やスロットマシン機同士の隙間に設置することが困難となる問題がある。これは、特許文献１と同様である。
【００１２】
また、駆動装置や駆動機構が複雑であることで、紙幣処理装置の大きさに対する紙幣の収容枚数が少なくなったり、収容された紙幣の取り出しが面倒になったりする問題を有している。
【００１３】
加えて、特許文献１、特許文献２に開示される金券識別装置は、挿入された金券（紙幣やプリペイドカードなど）を、一次的な保管のための収納器具を格納している。この収納器具は、挿入されて識別をクリアした金券を、収納する。特許文献１、特許文献２に開示される金券識別装置では、この収納器具に収納されている金券を、搬送させて取り出すことを可能としたり、収納器具そのものを外部に排出させることを可能としたりして、収納器具が収納している金券は、取出しが可能となっている。
【００１４】
当然ながら、金券識別装置は、自動販売機や遊技場などに設置されるので、一定量の金券が収納されている状態では、運営者や管理者は、金券識別装置に格納されている金券を（言いかえれば収納器具が収納している金券を）、取り出す必要がある。一定量以上になってしまうと、金券識別装置が金券の挿入を受け付けなくなって、自動販売機や自動貸出機の使用ができなくなるからである。
【００１５】
また、金券識別装置は、上述の通りその内部に金券を収納している。盗難の対象となりえるので、定期的に収納されている金券を、運営者や管理者が回収する必要もある。例えば、金券識別装置が動作している営業時間中は盗難の危険性は少ないが、営業時間外には、盗難の可能性が高まる。このため、金券識別装置を設置している遊戯場などでは、営業時間終了後に運営者や管理者が、金券識別装置の収納器具から金券を搬送させて取り出したり、収納器具を排出させたりすることを行う。このような処理によって、遊戯場や自動販売機などの運営者、管理者は、定期的に売上げを回収して計算できる。
【００１６】
ここで、特許文献１や特許文献２に開示される金券識別装置では、運営者や管理者が操作を行うと、収納器具に収納されている金券が搬送されて出口より排出されたり、収納器具そのものが排出されたりする。このとき、金券や収納器具が排出される出口は、盗難防止のためにシャッターを設けており、運営者や管理者の操作のみによって、このシャッターが開いて、金券や収納器具が外部に排出されるようになる。
【００１７】
ここで、従来技術のように、シャッター式で金券や収納器具の盗難や不正な排出を防止する形式は、製造が容易であったり、実際の操作が容易であったりするメリットがある反面、次のような問題を有している。
【００１８】
（問題１）シャッターは、金券識別装置の出口部分に設けられる。このとき、シャッターそのものは、金券識別装置に接続して開閉可能に設けられ、金券識別装置内部に格納される収納器具とは別個に設けられる。このため、シャッターが無理にこじ開けられると、空けられたシャッターと金券を収納している収納器具とが別体であるために、金券が盗難されやすくなる問題がある。
【００１９】
（問題２）シャッターは、その開閉において回転動作を必要とするので、金券識別装置は、シャッターを開閉させるためのモータを必要とする。モータは、コストの高い部品である上に、モータだけでなくシャフトや歯車などの周辺部品も必要として、金券識別装置全体のコストを増加させる問題を生じさせる。
【００２０】
（問題３）また、モータは、故障や誤動作を生じさせやすかったり、外部から盗難者によって不正動作させられたりして、シャッターを開けてしまうことがありえる。このとき、問題１に記載のようにシャッターは、収納器具と独立しているので、シャッターが開いてしまうと、当然に収納器具や金券を盗難されてしまう問題がある。
【００２１】
（問題４）また、従来技術のシャッターを用いる金券識別装置は、モータによる開口がされない場合に、シャッターをロックするための機構を必要とし、このロック機構を実現する部材、例えばソレノイドを必要とする。この結果、問題１のソレノイドと合わせて、コストが増加する問題がある。もちろん、問題３のような故障によって、シャッターの開閉が強制的に行われて東南される問題がある。
【００２２】
以上のように、従来技術の金券識別装置は、問題１〜４を有し、これらの問題に起因して、コスト増、盗難の危険性向上、装置自体の大型化などの問題も生じさせ、例えばパチンコ、スロット、電子ゲーム機器を多数備える遊戯場において、これらパチンコ、スロット、電子ゲーム機器などの遊戯機器の隙間に設置することが困難になる問題も生じさせていた。
【００２３】
本発明は、上記課題に鑑み、これらの問題を解消でき、狭い隙間に設置しつつ、コスト増や大型化を防止しながら、盗難の危険性も減少させる金券識別装置用収納器具および金券識別装置を提供することを目的とする。
【課題を解決するための手段】
【００２４】
上記課題に鑑み、本発明の金券識別装置用収納器具は、金券識別装置の筐体内部に格納および筐体内部の出口からの排出が可能である金券識別装置用収納器具であって、金券を収納可能な保管部と、保管部の一方の開口部であって、金券識別装置の出口側の開口部（以下、「第１開口部」という）に設けられる回動可能な蓋と、を備え、保管部の側面の少なくとも一方は、出口を基準に金券識別装置内部での前後移動を可能とする歯車と嵌合する嵌合歯を有し、蓋は、収納器具が金券識別装置内部に格納されている場合には、金券識別装置の露出面における出口を塞ぎ、蓋は、収納器具が、出口から排出された後で回動可能である。
【発明の効果】
【００２５】
本発明の金券識別装置は、金券を収納した状態の収納器具のままで外部に排出できる。このとき、金券識別装置に格納されている金券識別装置用収納器具は、前方に開閉可能な蓋を有しており、これが、従来技術のシャッター代わりとなる。このため、収納器具が金券識別装置に格納された状態では、蓋がシャッターの代わりとなって金券識別装置の内部（収納器具からの排出出口からの）への種々の侵入を防止でき、盗難が防止される。また、収納器具が排出されると、当該蓋が開閉できるので、収納されている金券が容易に回収される。この結果、運営者や管理者は、定期的あるいは不定期に、金券識別装置に溜まった金券を回収できる。
【００２６】
また、蓋は、収納器具が排出されない場合には開閉することが無いのに合わせて、排出される場合には自由に開閉できるので、開閉のためのモータや、ロックのためのソレノイドを必要としない。この結果、部品点数特に高価な部品点数を周辺部品も含めて削減できるので、コスト削減が実現される。また、これらの部品が不要となることで、金券識別装置そのものを小型化・薄型化ができるようになり、遊戯機器の隙間に設置しやすくなる。この結果、普及が促進される。
【００２７】
加えて、モータやソレノイドなどの、故障や不正動作の対象となりやすい部品が使用されないので、盗難の危険性を低下させることができる。加えて、収納器具が金券識別装置内部に格納されている場合には、蓋が金券識別装置の露出面と同一平面上に揃うようになり、金券もしくは収納器具を取り出すのに必要となる出口を、完全に塞ぐことができる。また塞いでいる状態では、開閉することがないので、不正な開閉による盗難も防止される。
【図面の簡単な説明】
【００２８】
【図１】本発明の実施の形態１における金券識別装置の斜視図である。
【図２】実施の形態１における収納器具の斜視図である。
【図３】実施の形態１における収納器具の斜視図である。
【図４】本発明の実施の形態１における金券識別装置１００の動作状態を示す説明図である。
【図５】本発明の実施の形態１における収納器具の斜視図である。
【図６】本発明の実施の形態２における金券識別装置の内部斜視図である。
【図７】本発明の実施の形態２における収納器具のロック機構を示す部分拡大図である。
【図８】本発明の実施の形態２における収納器具のロック機構を示す部分拡大図である。
【図９】ロック部材が挿入される様子を上方から見た状態を示している。
【発明を実施するための形態】
【００２９】
本発明の第１の発明に係る金券識別装置用収納器具は、金券識別装置の筐体内部に格納および筐体内部の出口からの排出が可能である金券識別装置用収納器具であって、金券を収納可能な保管部と、保管部の一方の開口部であって、金券識別装置の出口側の開口部（以下、「第１開口部」という）に設けられる回動可能な蓋と、を備え、保管部の側面の少なくとも一方は、出口を基準に金券識別装置内部での前後移動を可能とする歯車と嵌合する嵌合歯を有し、蓋は、収納器具が金券識別装置内部に格納されている場合には、金券識別装置の露出面における出口を塞ぎ、蓋は、収納器具が、出口から排出された後で回動可能である。
【００３０】
この構成により、蓋が、収納器具と筐体の出口の蓋を兼ねることができるので、金券識別装置全体が小型化・薄型化できる。加えて、収納器具そのものが、金券識別装置と独立した要素となるので、金券等の回収が容易となる。もちろん、金券種類の変動に対応した異なるバリエーションの収納器具との入れ替えや交換も可能となる。
【００３１】
本発明の第２の発明に係る金券識別装置用収納器具では、第１の発明に加えて、蓋は、金券識別装置用収納器具が、筐体に格納されている場合には、金券識別装置の露出面であって、出口を形成する面と、略同一平面上に存在する。
【００３２】
この構成により、蓋が、筐体表面において目立つことがない上に、筐体出口をきれいに塞ぐことができるので、内部に格納されている収納器具を、盗難者が強引に取り出すことが困難となる。もちろん、金券識別装置全体としての薄型化と外観上のすっきり感が生じるので、遊戯場を始めとした様々な場所に設置がしやすくなる。
【００３３】
本発明の第３の発明に係る金券識別装置用収納器具では、第１又は第２の発明に加えて、蓋の面積および形状の少なくとも一方は、第１開口部の面積および形状と略同一であるもしくは大きい。
【００３４】
この構成により、蓋は、収納器具の蓋としての第１の役割を果たす。
【００３５】
本発明の第４の発明に係る金券識別装置用収納器具では、第１から第３のいずれかの発明に加えて、出口の開口面積および蓋の面積および形状の少なくとも一方は略同一であるか、もしくは出口の開口面積は蓋の面積より小さい。
【００３６】
この構成により、蓋は、筐体の出口を確実に塞ぐ、第２の役割を果たせる。
【００３７】
本発明の第５の発明に係る金券識別装置用収納器具では、第１から第４のいずれかの発明に加えて、蓋は、金券識別装置用収納器具が、筐体内部に格納されている場合には、回動不可である。
【００３８】
この構成により、収納器具が、筐体１に格納されている限りは、蓋は開閉せず、従来技術のシャッターのように無理にこじ開けられて内部の金券を盗難される心配がない。
【００３９】
本発明の第６の発明に係る金券識別装置用収納器具では、第１から第５のいずれかの発明に加えて、蓋は、収納器具が出口から排出された後では、手動および自動の少なくとも一方で回動可能である。
【００４０】
この構成により、排出後は、蓋の回動によって、収納部に収納されている金券が回収可能となる。
【００４１】
本発明の第７の発明に係る金券識別装置用収納器具では、第６の発明に加えて、蓋は、保管部の移動方向に交差する方向に回動可能であり、蓋は、回動方向の一方に圧力を付与する弾性体を有する。
【００４２】
この構成により、排出直後の収納器具で、蓋が簡単に開く。
【００４３】
本発明の第８の発明に係る金券識別装置用収納器具では、第７の発明に加えて、弾性体は、蓋を、保管部の第１開口部を塞ぐ位置に保たせるように、圧力を付与する。
【００４４】
この構成により、排出直後の収納器具では、蓋は、第１開口部を覆った状態を維持し、収納されている金券が、不用意に落ちたりする事故を防止できる。
【００４５】
本発明の第９の発明に係る金券識別装置用収納器具では、第７の発明に加えて、弾性体は、蓋を、保管部の第１開口部を露出させる位置に保たせるように、圧力を付与する。
【００４６】
この構成により、排出直後の収納器具では、蓋がすぐに開いて、金券を簡単に取り出せるようになる。
【００４７】
本発明の第１０の発明に係る金券識別装置用収納器具では、第１から第９のいずれかの発明に加えて、保管部は、金券を収納可能な形状および内部空間を有しており、内部空間は、少なくとも保管部の底と、底と対向する表面と、金券識別装置用収納器具の移動方向に沿った側壁部材と、第１開口部および第１開口部と対向する端部部材と、で形成される。
【００４８】
この構成により、収納器具は、立体形状であって、様々な種類の金券を収納可能とすると共に、独立した要素として、筐体に格納することも筐体から排出することも可能となる。
【００４９】
本発明の第１１の発明に係る金券識別装置用収納器具では、第１０記載の発明に加えて、移動方向は、金券識別装置用収納器具の排出および挿入方向であり、移動方向への駆動を生じさせる排出駆動手段と嵌合する嵌合歯を、側壁部材の少なくとも一部が有し、嵌合歯に排出駆動手段からの駆動力が伝達されることで、金券識別装置用収納器具が移動方向に移動可能となる。
【００５０】
この構成により、モータなどの回転力を生じさせる駆動手段によって、収納器具の格納と排出が確実に行われるようになる。加えて、後で説明する盗難防止にも繋がる。
【００５１】
本発明の第１２の発明に係る金券識別装置用収納器具では、第１１又は第１２の発明に加えて、側壁の一部は、移動方向への移動をロックするロック部材が挿入可能な挿入部を有し、ロック部材の少なくとも一部が、挿入部に挿入されると、金券識別装置用収納器具は、排出駆動手段の駆動力が付与される場合でも、移動方向に移動できない。
【００５２】
この構成により、誤動作や不正操作によって排出駆動手段が動作しても、収納器具が排出される事故や盗難が生じない。
【００５３】
本発明の第１３の発明に係る金券識別装置用収納器具では、第１２記載のロック部材は、挿入部に挿入される方向に圧力を付与する弾性体および当該弾性体の位置を変化させる回動部材を、更に備える。
【００５４】
この構成により、ロック部材は、簡単かつ確実に、収納器具の移動をロックできる。
【００５５】
本発明の第１４の発明に係る金券識別装置用収納器具では、第１２の発明に加えて、回動部材は、通常状態では、弾性体を挿入部方向に押し付け、排出状態では、弾性体を挿入部方向と逆側に押し戻す。
【００５６】
この構成により、回動部材の動作によって、ロック部材が、収納器具の排出と格納を確実に行える。特に、排出されるべきでない通常状態で、ロック部材は、確実に収納器具をロックできる。
【００５７】
本発明の第１５の発明に係る金券識別装置用収納器具では、第１４の発明に加えて、回動部材は、弾性体の位置を変化させる突起を有し、通常状態では突起を第１位置に設定し、排出状態では、突起を第２位置に設定し、回動部材は、第１位置と第２位置との間を往復運動のように回動する。
【００５８】
この構成により、ロック部材のロックと開放が、回動部材の簡単な往復運動だけで、実現できる。
【００５９】
本発明の第１６の発明に係る金券識別装置用収納器具では、第１２から第１５のいずれかの発明に加えて、排出駆動手段は、嵌合歯との嵌合を離隔する離隔機構および排出駆動手段と嵌合歯とを動力伝達で伝達する伝達部材の伝達を停止させる停止機構の少なくとも一つで、金券識別装置用収納器具の排出を防止する。
【００６０】
この構成により、様々な手段で、収納器具の誤動作や不正操作による排出が防止できる。
【００６１】
本発明の第１７の発明に係る金券識別装置用収納器具では、第１から第１６のいずれかの発明に加えて、金券は、紙幣、紙葉類、有価紙類、プリペイドカード、ＩＣカードおよびＩＤカードの少なくとも一つを含む。
【００６２】
この構成により、様々な金券が取り扱われる。
【００６３】
以下、図面を参照しながら、本発明の実施の形態を説明する。
【００６４】
（実施の形態１）
【００６５】
（全体概要）
図１は、本発明の実施の形態１における金券識別装置の斜視図である。図１に示される金券識別装置１００は、内部に格納される収納器具１が可視状態となるように、金券識別装置１００の筐体１０１の手前側の側面を取り払った状態を示している。この結果、図１は、金券識別装置１００内部の一部が露出した状態を、示している。
【００６６】
金券識別装置１００は、図１に示される状態で自動販売機や自動貸出機と合わせて設置される。例えば、自動販売機や自動貸出機に組み込まれた状態で設置される。あるいは、自動販売機や自動貸出機と連動しつつ別個に設置される。金券識別装置１００が、パチンコ機やスロットマシン機などに必要な自動玉貸出機に必要である場合には、自動玉貸出機の内部もしくは一緒に設置される。このときには特に、金券識別装置１００は、パチンコ機やスロットマシン機の間の隙間に設置される。このため、金券識別装置１００は、図１に示されるように縦型に設置されることが多い。
【００６７】
パチンコ機やスロットマシン機などを多数設置して遊戯を提供する遊戯場は、多数のパチンコ機やスロットマシン機を、列ごとに並べている。あるパチンコ機の隣に次のパチンコ機が設置され、またその隣に次のパチンコ機が設置される。このため、パチンコ機同士の隣接する隙間や、スロットマシン機同士の隣接する隙間に、自動玉貸し機や自動コイン貸出機が設置されるようになる。多数並んでいるパチンコ機やスロットマシン機のそれぞれに着座している顧客が、その手元でパチンコ玉やコインを取り出したいと考える。
【００６８】
このため、列状に多数並んでいるパチンコ機やスロットマシン機であって、隣接するパチンコ機やスロットマシン機同士の間に、自動玉貸し機や自動コイン貸し出し機が設置される。ということは、図１に示される金券識別装置１００は、同様に、列状に多数並んでいるパチンコ機やスロットマシン機であって、隣接するパチンコ機やスロットマシン機同士の間に、設置されることになる。当然ながら、隣接するパチンコ機やスロットマシン機同士の間（隙間）は、狭い。すなわち、遊戯場などに用いられる場合には（もちろん、それ以外でも）、非常に狭い空間に金券識別装置１００が設置されなくてはならない。このため、金券識別装置１００は、図１に示されるように非常に小型化・薄型化が求められる。
【００６９】
例えば、金券識別装置１００は、パチンコ機やスロットマシン機同士の隙間に、縦置きで設置される。
【００７０】
（金券識別装置概要）
まず、金券識別装置１００の概要について説明する。
【００７１】
金券識別装置１００は、挿入口１０３、識別部１０４、搬送部１０５、収納部材１、排出駆動手段１０８、搬送駆動手段１０９と、を備える。また、金券識別装置１００は、これらの要素を筐体１０１に格納する。金券識別装置１００は、筐体１０１によってその外形を形成できる。ここで、筐体１０１は、一定の奥行きと高さを有しつつ、幅の小さい薄型かつ縦型である（縦型といっても必ず縦に設置される必要があるものではなく、横に設置されれば横型の筐体である）。このため、金券識別装置１００も、幅の小さな薄型の外形を有するようになる。薄型の外形であることで、狭い隙間（隙間が縦方向であれば、縦方向に設置され、隙間が横方向であれば横方向に設置される）にも、金券識別装置１００が、設置される。
【００７２】
挿入口１０３は、筐体１０１の前方に設けられ、金券の挿入を受け付ける。筐体１０１は、金券識別装置１００の外形を形成するので、挿入口１０３は、設置された金券識別装置１００の前方、すなわち、金券を投入する人に向く側に位置することになる。使用者は、この挿入口１０３に金券を投入する。金券は、紙幣、紙葉類、有価紙類、プリペイドカード、ＩＣカードおよびＩＤカードの少なくとも一つを含む。一般的には紙幣が金券として、挿入口１０３に投入されることが多いが、専用の金券や電子マネーに対応するカード媒体が投入されてもよい。
【００７３】
挿入口１０３に挿入された金券を、搬送駆動手段１０９が、筐体１０１内部に一定の位置まで搬送する。この一定の位置においては、識別部１０４が備わっている。このため、挿入口１０３に挿入された金券は、この挿入口１０３の後段に備わる識別部１０４まで搬送されて到達できる。
【００７４】
識別部１０４は、挿入された金券を識別する。金券が識別部１０４の位置まで到達しているので、識別部１０４は、金券を視認することができ、この視認を介して金券の真贋および券種のそれぞれを識別できる。識別部１０４が、真贋や券種を識別できることで、金券識別装置１００は、自動販売機や自動貸出機での処理を実行させることができる。
【００７５】
搬送部１０５は、挿入口１０３から収納器具１にかけて挿入された金券を搬送する。すなわち、搬送部１０５は、識別部１０４から収納器具１の間に設けられる。搬送部１０５は、挿入された金券を搬送するために、金券を移動させるローラーなどの回転機構を有しており、この回転機構を用いて金券を搬送する。また、搬送部１０５は、搬送部１０５と別の位置に設けられる搬送駆動手段１０９によって、動作させられる。搬送駆動手段１０９は、搬送部１０５に設けられる回転機構を駆動する。例えば、搬送駆動手段１０９は、モータとモータを制御する制御回路などを有しており、制御されるモータが、回転機構を回転させて、搬送部１０５での金券の搬送を実現する。
【００７６】
搬送部１０５は、挿入口１０３から挿入された金券を、最終的には、搬送部１０５の後段に設けられる収納器具１にまで搬送する。
【００７７】
収納器具１は、搬送部１０５で搬送された金券を一時的に保管するために収納する。収納部材１は、後で詳述するが、金券識別装置１に用いられると共に、金券識別装置１の外形を形成する筐体１０１内部に格納されると共に、筐体１０１の前面および後面の少なくとも一方に設けられる出口１１０から排出される。すなわち、収納器具１は、自動販売機や自動貸出機への支払いに用いられる金券を一時的に保管すると共に、運営者や管理者が、売上げとしての金券を、金券識別装置１００から回収することができる機能を有している。
【００７８】
ここで収納器具１は、搬送部１０５によって搬送される金券を保管する。このため、図１に示されるように、搬送部１０５と収納器具１とは、挿入方向に略平行な同一平面状に配置される。言い換えれば、搬送部１０５と収納器具１とは、金券の挿入方向に沿って同一直線状に設けられる。更に言えば、挿入口１０３、識別部１０４、搬送部１０５および収納器具１とは、挿入された金券の挿入方向（搬送方向）に沿った直線状に並ぶようにして配置される。なお、ここでいう同一平面や同一直線とは、これらの要素が、大枠の中でほぼ重なる平面や直線上に位置することを意味する。すなわち、金券識別装置１００全体が薄型・小型化されることが実現される意味であって、厳密に同じ直線や平面上に位置することを要求するものではない。
【００７９】
搬送された金券が、収納器具１に搬送されると、次第に収納器具１内部の保管部２（収納器具１の内部空間であって、実際に紙幣やプリペイドカードなどの金券が保管される空間）に、金券が溜まっていく。また、図１では明確に示されていないが、保管部２に収納される金券への押し当て圧力を付与する押し当て部３が、保管部２に搬送されてくる金券を、保管部２に押し当てて、多くの金券が収納できるようにする。このようにして、保管部２に、制限枚数はあるが、多くの金券が収納されるようになる。
【００８０】
保管部２の一方であって、出口１１０側には、収納器具１は、第１開口部４を有している。この第１開口部４には、後で詳述する蓋５が備わっており、この蓋５が、第１開口部４を塞いだり開放したりできる。また、保管部２の他方は、保管部２に収納される金券の端部を押さえるために、開口していないことが好ましい。
【００８１】
このように、収納器具１は、保管部２という実際に金券を保管する内部空間を備える方形の部材である。この収納器具１が、筐体１０１内部に格納されたり、出口１１０から排出されたりする。
【００８２】
ここで、金券識別装置１００は、上述のように、狭小空間に設置される必要がある。このため、金券識別装置１００の筐体１０１内部に、識別部１０４、搬送部１０５、収納器具１が設けられる。図１からもわかる通り、金券識別装置１００では、幅の小さな筐体１０１の奥行き方向に、挿入口１０３からスタートして、金券の搬送方向に沿って、識別部１０４、搬送部１０５、収納器具１の順序で配置される。すなわち、金券識別装置１００は、金券の搬送と、金券の識別処理等とに無駄の無い構造を有している。この結果、金券識別装置１００は、その幅を薄くできる。
【００８３】
また、このように収納器具１が筐体１０１内部で同一直線上（同一平面上）に備えられることで、収納器具１が出口１１０から排出される際にも、挿入方向と同様に、同一直線上（同一平面上）に、排出されることになる。収納器具１の排出は、運営者や管理者による金券の回収に用いられることになるが、これも同一直線上（同一平面上）となるので、狭小空間に設置された金券識別装置１からの、金券の回収が容易となる。もちろん、薄型化も実現される。
【００８４】
また、搬送部１０５での搬送を駆動する搬送駆動手段１０９と、収納器具１を排出（あるいは挿入）する排出駆動手段１０８とは、搬送部１０５および収納器具１に対して、略垂直の位置に配置される。図１に示されるように、搬送部１０５および収納器具１の下に、制御部１２０が備わっている。制御部１２０は、搬送駆動手段１０９および排出駆動手段１０８を格納する。搬送駆動手段１０９や排出駆動手段１０８のそれぞれは、モータや歯車のような機械部品、回路基板や電子素子などの電子部品とを有する。これらが、搬送部１０５および収納器具１の下方の空間に配置される制御部１２０に格納されることで、搬送部１０５や収納器具１の幅方向への悪影響が無くなる。
【００８５】
もちろん、図１に示されるように、機械部品や電子部品を含む制御部１２０が、収納器具１などの上方に配置されてもよい。
【００８６】
このように、機械部品や電子部品の多くが、金券を搬送させつつ保管する物理空間の下方の空間である制御部１２０に格納されることで、金券識別装置１００は、幅方向を薄くできる。特に、制御部１２０が下方に格納されれば、金券識別装置１００が横方向に設置される場合でも、高さ方向の厚みが薄くなる。この結果、実施の形態１における金券識別装置１００は、狭い隙間に設置されやすくなる。
【００８７】
特に、パチンコ機やスロットマシン機の自動玉貸出機に合わせて設置される場合には、パチンコ機やスロットマシン機の間の隙間に設置される必要がある。特に、遊技場では、多数のパチンコ機やスロットマシン機が並んでいるが、多数のパチンコ機やスロットマシン機のそれぞれの間に設置されることとなる。このような隙間は小さい上に、隣接する隙間での吸収余力がない（隣接する隙間にも、金券識別装置が設置される必要があるので）。このため、金券識別装置１００は、その厚みを薄くすることが重要である。
【００８８】
（１）金券の挿入、搬送、保管の一連の処理を実行する要素が、挿入方向に沿った直線上に配置され、（２）保管された金券の排出を実行する要素が（１）と同じ直線上に配置され、（３）処理の駆動や制御に関る機械部品や電子部品が、（１）と同じ直線上でありながら、垂直方向に位置する空間にまとめられる、ことで、金券識別装置１００は、厚みを薄くできる。
【００８９】
このような構造上の工夫によって、金券識別装置１００は、所定の大きさに収まるようになる。
【００９０】
（収納器具）
次に、上述で説明したような金券識別装置１００に用いられる収納器具１について説明する。収納器具１は、上述のように、販売や貸し出しの際に使用者が挿入する金券を一時的に保管すると共に、一定量となったり一定時間ごとに、運営者や管理者によって、回収されたりする。この回収のために、収納器具１は、筐体１０１内部に格納されたり、筐体１０１から排出されたりする。格納と排出は、筐体１０１の前面および後面の少なくとも一方に設けられる出口１１０を介して、行われる。
【００９１】
図２は、実施の形態１における収納器具の斜視図であり、収納器具の裏側（保管部２の底面８となる）部分から見た図面である。図２からもわかる通り、収納器具１は、方形を有しており、第１開口部４および表面９以外は、基本として、底面８のように壁面で囲まれている。もちろん表面９も、開口していてもよいが、壁面で囲まれてもよい。
【００９２】
収納器具１は、図２、図３に示されるように、方形状の立体を有している。金券を収納可能な形状および内部空間である保管部２を有している。保管部２は、少なくとも底面８と、金券識別装置用収納器具の移動方向に沿った側壁部材７と、第１開口部４および第１開口部４と対向する端部部材６と、で形成される。また、底面８と対向する表面９も有する。底面８と表面９とは、収納器具１が実際に金券を収納する内部空間である保管部２において、金券を支える支持面（底側）となるのか、搬送部１０５から搬送される金券が挿入される際に押し当て部３によって押し当てられる面（開口面）となるのかは、いずれがなっても構わない。
【００９３】
もちろん、開口面がなく、紙幣は、底面８および表面９とに挟まれて、底面８もしくは表面９が可動であることで、押し当て部３が金券を圧縮してもよい。このため、底面８および表面９は、確定された役割によって示される名称ではなく、金券を収容しつつ取り出しできる保管部２の対向する面であると、把握されればよい。なお、底面８および表面９の両方は、板材のような面で保管部２を囲んでいてもよいし（この場合には、金券は、第１開口部４から取り出される）、いずれか一方が開口していてもよい。後者の場合には、開口している底面８および表面９のいずれかから金券が取り出される。更には、押し当て部３が、この開口している側に圧力を押し当てて多くの金券が、保管部２に保管されるようにされればよい。
【００９４】
なお、図２、図３では、底面８が図において見える側に示されているが、底面としての板状などの部材が存在せず、開口した状態（すなわち、底面としての物理的な部材が存在しない）であって、図２、図３においては、この底面８から保管部２に収納されている金券が見えている状態であるとみなしてもよい。
もちろん、逆に、底面８は、物理的な部材として示されており、図２、図３の裏面であって図では見えない表面９が開口しており、この表面９から金券が見えている状態であるとみなしてもよい。
【００９５】
これらによって、収納器具１の大まかな立体が形成される。これに、図２、図３のように蓋５が取り付けられる。この蓋５は、第１開口部４を塞ぐが、図２、図３のように、一定の離隔距離を有していてもよい。これは、収納器具１の排出後に蓋５が回動して、保管部２の金券を取り出しやすいためである。
【００９６】
表面９が開口されている場合には、挿入口１０３に挿入されて搬送部１０５によって搬送された金券が保管部２に収納されやすくなる。搬送してそのまま押し当て部３によって底面８に押しつけられて金券が、保管部２に収納されるからである。加えて、収納器具１が出口１１０から排出された後で、この開口されている表面から金券を取り出しやすいメリットもある。
【００９７】
一方、表面９が塞がれていてもよい。表面９に板材が設けられており、この板材と底面８との間に、搬送部５によって搬送された金券が収納されて保管される。表面９を塞ぐ板材は、底面８に対して上下に可動でき、押し当て部３が、この可動する板材を押し当てることで、保管部２内部（底面８と板材との間の空間）に金券が効率よく保管される。この場合には、出口１１０から排出された収納器具１から、不用意に金券が零れ落ちることがなく、金券の紛失などの事故を防止できる。
【００９８】
また、この場合には、排出された収納器具１からは、第１開口部４（蓋５が開くことで、第１開口４が露出する）を介して、金券が取り出されればよい。
【００９９】
このように、収納器具１は、金券識別装置１００に格納されている場合には、搬送される金券を効率よく収納する機能・構造を有し、金券識別装置１００から輩出される場合には、効率よく金券を取り出して回収する機能・構造を有することが好適である。
【０１００】
また、上述の通り、第１開口部４に蓋５が設けられる。蓋５は、回動可能であり、第１開口部４を開放したり閉じたりするように回動する。図３は、本発明の実施の形態１における収納器具の斜視図である。図３は、蓋５が、第１開口部４を開放するように回動している状態を示している。このため、図３のように、蓋５は、収納器具１の長手方向（出口１１０に対する挿入方向もしくは排出方向）に交差する方向に回動することが好ましい。また、回動も、収納器具１に対して底面８側にも表面９側にもいずれにも偏るように行われても良いし、一方向だけ（例えば、図３に示されるように、表面９側だけに回動して、第１開口部４を開放したり、閉鎖したりしてもよい。
【０１０１】
図１に示されるように、蓋５は、収納器具１が筐体１０１内部に格納されている場合には、筐体１０１の出口（ここから収納器具１が排出される）を塞ぐ。すなわち、筐体１０１内部への侵入を防止する。筐体１０１内部には、金銭的価値のある金券が保管されているからである。すなわち、蓋５は、従来技術におけるシャッターの代わりを行う。
【０１０２】
ここで、従来技術では、このシャッターが開いて、内部に格納されている金券が取り出されていたが、実施の形態１の収納器具１では、収納器具１そのものが、出口１１０から排出される。このため、蓋５は、収納器具１が筐体１０１に格納されている限りは（金券が筐体１０１内部に収納されている限りは）、開閉することはない。このため、蓋５は、出口１１０を不用意に開放することがないので、金券識別装置１００が備える出口１１０からの盗難器具の挿入や、シャッターをこじ開けることでの盗難が防止される。
【０１０３】
また、収納器具１は、出口１１０から筐体１０１内部に挿入されて格納されるが、収納器具１の奥行きは、筐体１０１が収納器具１を格納する内部空間の奥行きに合っている。このため、蓋５は、筐体１０１の前面（筐体１０１の前方の露出面）と略同一平面上に、その表面を合わせるようになる。言い換えれば、蓋５が押し込まれても、収納器具１が筐体１０１の内部空間の更に奥に入ることはない。もちろん、排出動作が実行されなければ、蓋５が、出口１１０の外側にはみ出たり突出したりすることもない。
【０１０４】
蓋５は、回動可能であるが、図３に示されるように、蓋５そのものが一定の厚みを持って、収納器具１の排出方向に交差する方向に回動する。このため、収納器具１が出口１１０から筐体１０１内部に格納されている場合には、出口１１０と略同一面上にその表面を合わせているので、盗難者が、蓋５を引っ張ったり押したりしても、出口１１０の空間内で、蓋５が回動することはない。
【０１０５】
このようにして、収納器具１が、筐体１０１内部に格納されている限りは、蓋５が回動することがないので、内部に収納されている金券の盗難が防止される。
【０１０６】
蓋５は、図３に示されるように、出口１１０から排出された後で、初めて回動可能となる。この結果、第１開口部４が開放されて、収納器具１の保管部２に収納されている金券が回収されるようになる。
【０１０７】
また、蓋５は、上述の通り、筐体１０１内部に格納されている場合には、金券識別装置１００の露出面（例えば、前面）と、略同一の平面上に存在する。すなわち、蓋５は、いわゆる表面とつらいちである状態である。蓋５は、筐体１０１内部に格納される収納器具１の第１開口部の蓋となるだけでなく、金券識別装置１００の出口１１０の蓋も兼用することになる。
【０１０８】
加えて、蓋５は、筐体１０１の出口１１０の開口面積と略同一の面積、略同一の形状を有しており、蓋５は、収納器具１が筐体１０１内部に格納されている場合には、蓋５は、筐体１０１の出口１１０（この出口１１０から収納器具１が、金券を収納したままで排出される）を、完全に塞ぐことができる。また、既に述べてきたように、実施の形態１の収納器具１は、金券識別装置１００に用いられるだけでなく、筐体１０１の出口１１０（収納器具１の挿入と排出を行う出口）から排出されて、金券の回収にも使用される（逆に言えば、金券の保管にも使用される）。
【０１０９】
このように、排出後に始めて回動する蓋５と、蓋５をシャッターと開口の兼用とする方形立体の収納器具１と、収納器具１そのものが、筐体１０１に格納および筐体１０１からの排出が行われる本発明によって、次のような作用・機能を生じさせる。
【０１１０】
（１）シャッターを用いないことで、出口が無理やりこじ開けられたりして、筐体内部に収納されている金券が、盗難される心配が減少する。
（２）シャッターを用いず、蓋５ごと収納器具１を出口１から排出させることで、シャッターを開閉させるためだけのモータと周辺部品が不要となる。
（３）（２）に合わせて、シャッターのこじ開け防止（ロック）のために必要となるソレノイドとその周辺部品が不要となる。
（４）一定の厚みのある蓋が、シャッター代わりとして、収納器具１が筐体１０１内部に格納されている場合には、回動することがそもそも不可能であることで、こじ開け等による盗難が防止される。加えて、蓋５は、出口１１０の面積と略同一の面積を有しているので、蓋５は、出口１１０を確実に塞ぐことができる。これにより、隙間などからの金券の取り出しなども防止される。
（５）蓋５が、収納器具１の排出後に始めて回動することで、排出後には、容易に金券が回収されるようになる。収納器具１が排出された後では、蓋５は、自動もしくは手動で回動する。この回動によって、収納器具１の第１開口部４が開放されて、この第１開口部４から、金券が取り出し可能となる。
（６）収納器具１が、金券を保管した状態で、そのまま排出されるので、金券の回収が確実かつ容易となる。金券だけを押し出して排出する場合に比べて、排出時に金券が出口や排出経路で引っ掛かったり、詰まったりすることもなくなる。もちろん、収納器具１が格納されている状態では、きちんと金券が収納されて、金券が収納器具１内部であふれたりすることもない。
【０１１１】
このように、実施の形態１の金券識別装置用収納器具は、部品点数を削減してコストダウンし、当然ながら小型化や薄型化を実現し、更には、盗難防止および金券の定期的回収容易性を高めることができる。
【０１１２】
（動作手順）
次に、収納器具１の動作および金券識別装置１００の動作手順について説明する。図４は、本発明の実施の形態１における金券識別装置１００の動作状態を示す説明図である。
【０１１３】
（挿入）
使用者は、挿入口１０３に金券を挿入する。金券の例として紙幣について説明する。挿入口１０３は、紙幣５１の大きさに合わせた形状と大きさを有したスリット状であり、使用者が紙幣５１を所定方向（長さ方向）に挿入しやすくなっている。また、一度に挿入できる枚数を制限する厚みを有している。挿入口１０３は、挿入された紙幣５１を識別部１０４に到達させる程度まで、挿入された紙幣５１が移動できるように、奥行きを有している。挿入された紙幣５１は、その先端を識別部１０４に到達させることができる。もちろん、挿入口１０３から挿入された紙幣５１が、搬送部１０５の働きによって識別部１０４の位置まで搬送されて、識別部１０４に紙幣５１が到達してもよい。
【０１１４】
（識別処理）
識別部１０４は、到達した紙幣５１を識別するために、複数の発光部およびこの発光部に対応する複数の受光部を備える。
【０１１５】
識別部１０４は、複数の発光部と複数の受光部とを有する。この複数の発光部および複数の受光部は、それぞれ発光部と受光部の組み合わせとなったり、一つの素子で発光部と受光部を構成したりする。識別部１０４は、挿入される紙幣５１の真贋と券種を、これらの発光部と受光部の組み合わせに基づいて識別する。
【０１１６】
複数の発光部および受光部の少なくとも一部は、挿入検知センサーを構成する。加えて、複数の発光部および受光部の少なくとも一部が、識別用センサーを構成する。挿入検知センサーは、紙幣５１が挿入されたことを検知し、識別用センサーは、挿入された紙幣５１の真贋および券種を識別する。
【０１１７】
また、識別用センサーは、発光部から紙幣５１を透過した透過光を利用したり、発光部から紙幣５１を反射した反射光を利用したりして、挿入された紙幣５１の真贋や券種を識別する。このとき、透過光や反射光の光量の変化、波長の変化、周波数の変化など（あるいはこれらの組み合わせ）を利用して、識別を実行する。
【０１１８】
加えて、挿入検知センサーや識別用センサーは、透過光や反射光を、種々に組み合わせて使用するので、複数の発光部や受光部のそれぞれは、紙幣５１に対して、片方側だけに備わる場合と両方に備わる場合とがある。すなわち、挿入された紙幣５１の表面側（一方側）と裏面側（他方側）の片方だけに、複数の発光部や受光部が備わる場合もあるし、紙幣５１の表面側と裏面側のそれぞれに、複数の発光部と受光部とが分かれて配置されることもある。
【０１１９】
識別部１０４は、このように紙幣５１が挿入されたことを検知する挿入検知センサーと、紙幣５１の真贋および券種を識別する識別用センサーとの機能を有する。この２つの機能によって、識別部１０４は、挿入された紙幣５１を識別して、自動販売機や自動貸出機での販売や貸し出し処理を実現できる。
【０１２０】
挿入検知センサーは、上述の通り、複数の発光部と受光部とで検出される光量の変化、あるいは波長や周波数の変化で、紙幣５１の挿入をまず検知する。次に、識別用センサーは、挿入された紙幣５１の真贋を判定する。反射光や透過光の光量の変化に基づく識別においては、予め紙幣５１によって想定される変化を閾値や参考値として記憶しておくことで、識別部１０４の識別用センサーは、紙幣５１の真贋を識別する。
【０１２１】
識別部１０４は、このように光量の変化を閾値や参考値と比較することで、紙幣５１の真贋を判定する。例えば、紙幣５１の種類（１０００円札、２，０００円札、５，０００円札、１０，０００円札）のいずれにも該当しない周波数（波長）を、反射光や透過光が示す場合には、挿入口１０３から挿入されたこの紙幣５１は、偽札である可能性がある。
【０１２２】
紙幣５１は、紙の種類、印刷の凸凹、印刷インクの種類などを様々に工夫してあり、反射光や透過光において、特定の周波数（波長）を示すはずだからである。本来のあるべき周波数（波長）のいずれにも合致しないということは、挿入された紙幣５１が偽札である可能性が高い。識別部１０４は、偽札と識別する。
【０１２３】
次に、識別センサーは、これら券種に対応する光量、波長、周波数などによって、挿入された紙幣５１の券種を識別する。この券種識別によって、金券識別装置１００と接続される自動販売機や自動貸出機は、どの金額の商品を提供してよいかを決定できるようになる。このように、識別センサーが、挿入された紙幣５１は、搬送部１０５によって、収納器具１に搬送される。このとき、搬送部１０５に設けられるローラー（紙幣５１を送るのに用いられる）などは、搬送駆動手段１０９によって駆動される。すなわち、識別部１０４は、挿入された紙幣５１が真券であると識別した場合には、当該結果を搬送駆動手段１０９に通知し、搬送駆動手段１０９が、この搬送部１０５を動作させて、紙幣５１を収納器具１の保管部２に向けて搬送する。
【０１２４】
ここで、識別センサーは、複数の発光部から発行された光の、透過光（紙幣５１を透過して対向する受光部に到達する光）および反射光（紙幣５１で反射して、発光部と同じ側に設けられる受光部に到達する光）の少なくとも一部を用いて、紙幣５１の真贋と券種を識別する。あるいは、透過光と反射光の一方を用いて、紙幣５１の真贋と券種を識別する。このとき、識別センサーは、光量、波長、周波数、振幅などの、光に関する様々なパラメータの少なくとも一部を用いてもよいし、これらのパラメータの組み合わせを用いてもよい。
【０１２５】
予め、券種ごとに用意されているこれらの閾値テーブルなどと比較することで、識別センサーは、上記のように、光量、波長、周波数、振幅などの、光に関する様々なパラメータの少なくとも一部を用いてもよいし、これらのパラメータの組み合わせを用いてもよく、真贋と券種を識別する。
【０１２６】
一方、識別部１０４が、挿入された紙幣５１が偽札であると判断した場合には、識別部１０４はその識別結果を搬送駆動手段１０９に通知する。通知を受けた搬送駆動手段１０９は、逆方向の駆動力を生じさせる。この逆方向の駆動力によって、識別部１０４は、偽札と識別した紙幣５１を、挿入口１０３から筐体１０１の外部に押しだす。使用者が、悪意で偽札を使用した場合であれば、当然ながら窃盗防止や犯罪防止となるからである。あるいは、使用者が気付かずに偽札を使用した場合でも、窃盗防止になるからである。
【０１２７】
なお、ここでは紙幣５１を金券の一例として説明したが、専用引換券、プリペイドカード、ＩＣカードなどのいずれであっても、識別部１０４が贋物であると判断する場合には、搬送駆動手段１０９の逆駆動力を利用して、挿入された金券を、挿入口１０３から筐体１０１の外部に押し出す。
【０１２８】
（搬送処理）
搬送部１０５は、内部空間２１に設けられ、挿入口１０３から収納器具１にかけて同一直線状に形成される。また、搬送部１０５は、収納器具１と一体の空間に形成される。
【０１２９】
搬送部１０５は、挿入口１０３から挿入された紙幣５１を収納器具１にかけて搬送する。図４は、本発明の実施の形態１における紙幣５１が挿入される状態を示す模式図である。搬送部１０５は、図４に示されるように、紙幣５１が挿入口１０３から挿入されると、収納器具１に向けて搬送させる。
【０１３０】
搬送部１０５は、制御部１２０に備えられる搬送駆動手段１０９によって、紙幣５１を搬送する。このとき、搬送物は、搬送駆動手段１０９によって回転される回転部材を用いることで、紙幣５１を収納器具１に向けて搬送する。回転部材は、ローラーであってモータイヤ状のものであってもよい。例えば、紙幣５１を痛めない柔軟性のある素材で形成されたローラーやタイヤであって、搬送駆動手段１０９によって回転させさられる。回転部材は、順方向回転と逆方向回転とを、可能である。真券の場合には順方向回転を行って、紙幣５１を収納器具１に搬送し、偽札の場合には、逆回転方向を行って、紙幣５１を挿入口１０３から外に排出させる。
【０１３１】
搬送部１０５は、独立した要素としてとらえられる必要があるものではなく、搬送駆動手段１０９の駆動力によって、挿入口１０３に挿入された紙幣５１を、収納器具１にまで搬送する機能を発揮する要素としてとらえられればよい。すなわち、搬送部１０５は、収納器具１の一部としての外見を有していてもよい。要は、搬送駆動手段１０９の駆動力によって、紙幣５１を搬送する機能を発揮しつつ、紙幣５１の搬送空間が、挿入口１０３と収納器具１とを結ぶ直線上に一致していることが重要である。
【０１３２】
なお、搬送部１０５は、紙幣５１を収納器具１に搬送する際に必要とする駆動力を、搬送部１０５および収納器具１の上方もしくは下方にある制御部１２０より得る。このため、紙幣５１が実際に移動する移動空間においては、電子回路、回路基板、電子部品などが設けられず、金券識別装置１００の薄型化が実現される。搬送部１０５は、紙幣５１の搬送方向においては（すなわち、金券識別装置１００の奥行き方向において）回転部材５５などの物理的部材と物理的空間のみとなる。このため、金券識別装置１００の幅は、保管する複数の紙幣５１の厚みのみで決定されるようになる。
【０１３３】
これらも踏まえて、金券識別装置１００は、その幅を薄くできる。
【０１３４】
搬送部１０５は、紙幣５１が収納器具１に到達すると、搬送処理を終了させる。
【０１３５】
（保管処理）
収納器具１は、搬送部１０５によって搬送された紙幣５１を、その保管部２に保管する。収納器具１は、図１など明らかなように、搬送部１０５と同一直線上に形成される部材であり、搬送される紙幣５１がそのまま保管部２に到達して保管される。とはいえ、筐体１０１内部に格納可能であると共に筐体１０１の出口１１０から排出可能であることで、搬送部１０５などを始めとした金券識別装置１００とその構成要素とは独立した部材である。
【０１３６】
保管部２は、紙幣５１を始めとした種々の金券を保管可能なサイズを有している。但し、非常に小型の金券と一般的な紙幣５１とでは、大きさに大きな違いがあるので、いずれも保管できるサイズを有していてもよいが、保管や回収時の確実性を考慮して、使用される現場での要望に応じて、収納器具１の保管部２の大きさ（すなわち収納器具１の大きさ）、様々に用意されていることも好適である。
【０１３７】
収納器具１は、保管部２に搬送されて到達した紙幣５１を、収納しやすいように保管部２の底面８もしくは表面９に押し当てる押し当て部３を有する。図５は、本発明の実施の形態１における収納器具の斜視図である。図５は、保管部２とそこに入ってくる紙幣５１を底面８に押し当てる押し当て部３を示している。押し当て部３は、弾性体３１も用いて紙幣５１に圧力を付与して、保管部２内部により多くの紙幣５１が保管されるようにする。紙幣５１同士の隙間がなくなるからである。なお、上述の通り、底面８と表面９のそれぞれは、便宜的なものであり、いずれ側から紙幣５１から押し当てられるのか、いずれ側が押し当てられた紙幣５１を受けるのかは、特段の区別を行う必要はない。
【０１３８】
押し当て部３は、紙幣５１への圧力付与をしやすいように、平面的な押し当て板材をもって、紙幣５１を底面８に押し付ける。この結果、保管部２において、多くの紙幣５１が保管されて、収納器具１は、予定可能な数量の金券を収納でき、収納器具１の出口１１０からの排出による回収の頻度や回数を減少させることができる。この点でも、盗難や事故を防止できる。
【０１３９】
（排出処理）
収納器具１は、その幅によって制限される所定枚数の紙幣５１（金券）を保管する。
【０１４０】
しかしながら、所定枚数の紙幣５１が挿入されてしまうと、収納器具１での保管に限界が生じる。収納器具１での保管ができなくなり、挿入口１０３は、紙幣５１の挿入を受け付けなくなることもある。挿入を受け付けないと、当然ながら金券識別装置１００は、その作業を停止しなくてはならない。
【０１４１】
また、所定枚数以上の保管が生じているだけでなく、収納器具１は、一時的な保管を行うに過ぎないので、所定の時期には、保管されている紙幣５１が回収される必要がある。売上げ計算のためである。例えば、所定時間ごとに回収されたり、夜間などの営業時間外に、運営者や管理者によって、収納器具１に保管されている金券が回収されたりする。
【０１４２】
収納器具１は、図２、図３を用いて既に述べた通り、略方形の立体形状を有しているので、出口１１０から挿入する際には、筐体１０１内部の専用の空間に簡単に挿入して格納させることができる。同様に、収納器具１に対して、外部もしくは内部から排出の指示を受けると、排出駆動手段１０８が動作して、収納器具１を、出口１１０から排出させる。蓋５が、出口１１０を塞ぐことを兼ねているので、排出されることで出口１１０が開放されることになる。
【０１４３】
排出に際しては、制御部１２０に設けられている排出駆動手段１０８が、収納器具１の筐体１０１外部への排出を駆動する。排出駆動手段１０８は、搬送駆動手段１０９と同様に、制御に必要な電子回路、電子部品、ソフトウェア、モータなどを備えており、モータなどの往復駆動を可能とする部材によって、収納器具１を、筐体１０１の外部に排出できる。
【０１４４】
（蓋）
図２、図３で説明したように、収納器具１は、その一端に蓋５を有している。蓋５は、紙幣５１などの金券を先端から取り出し可能な第１開口部４を、閉じることも開放することもできる。蓋５は、回動可能であり、出口１１０から収納器具１が排出されることで、回動できるようになる。このとき、蓋５は、収納器具１の挿入方向に交差する方向に回動し、自動で回動しても良いし、手動で回動してもよい。図３のように回動して第1開口部４が開放されれば、この第１開口部４から金券が取り出されるようになる。
【０１４５】
ここで、蓋５は、収納器具１の第１開口部４（収納されている金券の取り出し口となる）と、その面積および形状の少なくとも一方において、略同一であることが好ましい。もちろん、面積については、蓋５の面積が大きいことも構わないが、要は、蓋５は、最初の役割として、収納器具１の第１開口部４を、塞ぐ（離隔距離があっても見た目上で塞いでおればよい）。
【０１４６】
更に、蓋５は、金券識別装置１００の筐体１０１の出口１１０の面積および形状の少なくとも一方（できれば両方）と、略同一であることが好ましい。こうすることで、蓋５は、第２の役割として、金券識別装置１００の筐体１０１の出口１１０から、収納器具１が排出されることを前提としたときに、この出口１１０を完全に塞ぐことができるからである。加えて、述べたように、収納器具１が格納されている間は、蓋５が上下左右に、出口１１０の内部で動くことがないので、開けられることもない。また、筐体１０１の露出面（図１では、前方の面であって、通常、金券識別装置１００が設置される場合に前方に来る面）において、出口１１０を形成する付近の面と、略同一平面上となることが好ましい。こうすることで、蓋５が目立たなくなり、盗難防止にも繋がるからである。
【０１４７】
なお、前方の面であっても、図１に示されるように、挿入口１０３などが別平面になるように突出することは構わない。
【０１４８】
また、蓋５は、回動方向の一方に圧力を付与する弾性体を有することも好適である。例えば、図３では、蓋５は、回動のための駆動部分を、両端に有している。この両端にバネなどの弾性体が備わることである。このような弾性体は、回動方向の一方の方向に圧力を付与する。この圧力によって、例えば、蓋５は、常に第１開口部４を塞ぐ位置に保たれることも好適である。このようであると、排出された収納器具１は、常に第１開口部４が塞がれた状態である。この状態から、手動で蓋５を回動させて、第１開口部４から金券が回収される。
【０１４９】
あるいは、逆に、弾性体は、蓋５を第１開口部４を露出させる位置に保たれるように弾性力を付与することもよい。こうなると、収納器具１が出口１１０から排出されると、即座に蓋５が開いて第１開口部４が露出することになる。このため、排出後即座に、運営者や管理者は、収納器具１に収納されている金券を回収できる。
【０１５０】
ここで、蓋５は、回動可能であるが、第１開口部４の前方で一周するほどの回転を必要とはしない。蓋５は、シャッター代わりに、出口１１０を塞ぎつつ収納部１の第１開口部４を塞ぎ、排出後には、収納器具１の保管部２に保管されている金券を取り出せるようにできればよい。このため、蓋５は、第１開口部４に対して、ある方向だけに所定角度まで回動するだけでもよいし、第１開口部４に対して、上下方向のそれぞれに所定角度まで回動することでもよい。
【０１５１】
なお、排出駆動手段１０８によって収納器具１が排出されるということは、保管されている紙幣５１が回収されるということである。金券識別装置１００の設置者や管理者が、紙幣５１を回収することは問題ないが、無関係者が回収することは、盗難や犯罪に繋がる。このため、排出処理は、所定の鍵や暗証番号を必要条件として行われることが好適である。
【０１５２】
以上のように、回収処理が行われれば、金券識別装置１００に保管されている紙幣５１（金券）が回収されて売上げ処理がなされる。当然ながら、紙幣５１が回収されれば、収納器具１は、空になる。空になることで、収納器具１は、再び紙幣５１を保管できるようになり、金券識別装置１００の処理動作ができるようになる。
【０１５３】
以上のように、実施の形態１の金券識別装置１００用の収納器具１は、金券識別装置１００の小型化と薄型化を実現しつつ、格納と排出で、売上げである金券の回収を容易とする。加えて、収納器具１の蓋５が、金券識別装置１００の出口１１０のシャッターと収納器具１の蓋とを兼用することで、盗難にも強くなる。収納器具１が格納されている間では、蓋５が開閉することがないからである。
【０１５４】
また、出口のシャッターと異なり、蓋５は、シャッターの開閉のためのモータやロックのためのソレノイド（及び周辺部材）を必要としないので、部品点数を削減して、低コスト化、小型化も、実現できる。この結果、自動販売機などはもちろん、パチンコ機やスロットマシン機などの遊戯場でも、好適に使用されるようになる。
【０１５５】
（実施の形態２）
【０１５６】
次に、実施の形態２について説明する。
【０１５７】
実施の形態２では、排出駆動手段１０８が備えるモータの誤動作や盗難者からの不正動作によって、収納器具１が不正排出されないための種々の工夫について、説明する。
【０１５８】
制御部１２０に、排出駆動手段１０８が、筐体１０１に格納されている収納器具１を、出口１１０から排出する。また、排出するということは、格納のための挿入も行う。すなわち、排出駆動手段１０８は、収納器具１を駆動して動作させる。
【０１５９】
このように、収納器具１は、排出駆動手段１０８で所定の移動方向に沿って駆動させられる。この移動方向は、収納器具１の排出方向および挿入方向であり、その向きが逆になっている。ここで、排出駆動手段１０８は、モータなどの回転を生じさせる部材を備えており、この回転による駆動を受ける嵌合歯を、収納器具１は、その一部に設けている。例えば、収納器具１は、図２、図３のように略方形の立体、例えば薄型の略直方体を、大まかな外形として有している。この大まかな外形の移動方向に沿った側面において、排出駆動手段１０８に近い側の側面に、嵌合歯を供えていることが適当である。
【０１６０】
排出駆動手段１０８が、そのモータを回転させると、このモータに接続する歯車が回り、この歯車に勘合する、上述の嵌合歯が動くようになる。このようにして、回転運動を生じさせるモータが、嵌合歯によって、前後運動（移動方向に沿った運動）を、生じさせる。
【０１６１】
排出駆動手段１０８は、金券識別装置１００に備わっている電気的もしくは機械的仕組みによる外部からの指示に応じて、動作を開始する。この指示が収納器具１の排出であれば、モータが回転して、回転が伝導されることで、嵌合歯が出口１１０方向に押し出されて、出口１１０から収納器具１が排出される。
【０１６２】
逆に、収納器具１が挿入されて金券識別装置１の筐体１０１内部に格納される指示の際には、モータが逆回転して、嵌合歯が、出口１１０内部に向けて進むようになる。こうして、収納器具１が格納される。
【０１６３】
このように、モータの回転を基点とする、排出駆動手段１０８によって、金券を収納する収納器具１が、金券識別装置１の筐体１０１内部に格納されたり、筐体１０１から（出口１１０から）排出されたりする。
【０１６４】
図６は、本発明の実施の形態２における金券識別装置の内部斜視図である。収納器具１が格納された状態が示されており、収納器具１の側面に、嵌合歯１１が備わっていることが示されている。嵌合歯１１は、収納器具１の側面であって、排出駆動手段１０８などのモータや各種機械部品、電子部品を格納する制御部１２０側の側面に設けられている。上述の通り、排出駆動手段１０８は、歯車などから構成される伝達手段２００および嵌合歯と嵌合して、嵌合歯を送ることで、収納器具１を前後移動させる嵌合歯車２０１を、有しているからである。このためこれらがある制御部１２０側の側面に、嵌合歯１１が備わっていることが適当である。
【０１６５】
図６では、嵌合歯１１に最終的に嵌合する嵌合歯車２０１の回転で、収納器具１が、図６での左側（出口１１０側）に移動して、収納器具１を出口１１０から排出する。逆に、嵌合歯車２０１が逆側に回転すると、収納器具１が、図６での右側に移動して、収納器具１が、出口１１０から内部に挿入されて格納される。このように、嵌合歯１１と排出駆動手段１０８とによって、収納器具１が、出口１１０から排出される。
【０１６６】
このような構造であるがゆえに、排出駆動手段１０８が、誤動作したり、故障したり、暴走したりする、不可避的な動作が生じたり、盗難者によって、不正に動作させられる不正動作が生じたりすると、金銭的価値を有する金券を収納する収納器具１が、排出されて盗難されてしまう危険性がある。
【０１６７】
従来技術と異なり、筐体１０１の露出面に設けられることの多い出口１１０は、シャッターではなく蓋５であるので、収納器具１が格納されている限りは、不正に開閉される心配はほとんどないが、収納器具１が、保管部２に保管している金券と共に、一体として排出される構造であるがゆえに、この収納器具１を不正に排出させて盗難を試みる不正者の出現が考えられる。
【０１６８】
当然ながら、このような事故による金券の紛失や盗難、不正者による盗難は防止される必要がある。このためには、排出駆動手段１０８から嵌合歯１１への駆動力の伝達が阻止されたり、駆動力が到達しても、収納器具１の移動動作が阻止されたりする機構が必要である。
【０１６９】
この事故や不正操作による収納器具１の移動動作の阻止機構を説明する。
【０１７０】
（ロック部材とその機構）
図７、図８は、本発明の実施の形態２における収納器具のロック機構を示す部分拡大図である。図７、図８に示される収納器具１には、排出駆動手段１０８によって、モータ、伝達手段、嵌合歯１１と回転運動が往復運動に繋がって、収納器具１が排出もしくは挿入格納される。
【０１７１】
図７、図８には、収納器具１の側面であって、嵌合歯１１が設けられる側面に、挿入部５３が備わっている。挿入部５３には、収納器具１の往復運動（排出の移動方向への移動）をロックするロック部材５１が挿入される。このロック部材５１は、収納器具１の外部に備わっており、例えば、制御部１２０の一部に設けられて、収納器具１の外部から収納器具１の移動をロックもしくは開放する役割を果たす。
【０１７２】
ロック部材５１は、金属、合金、樹脂などの硬質で耐久性と強度を有する棒状もしくは板状などの部材であり、挿入部５３にその少なくとも一部が挿入されたり、挿入部５３から取り出されたりする。ロック部材５１の少なくとも一部が、挿入部５３に挿入されると、ロック部材５１の剛性によって収納器具１の排出（もちろん挿入格納も）が阻止される。これは、排出駆動手段１０８の駆動力が付与される場合であっても同じである。
【０１７３】
図７では、ロック部材５１が、挿入部５３に挿入されておらず、収納器具１は、ロック部材５１から開放されている。この結果、収納器具１は、ロック部材５１の影響を受けることなく、排出駆動手段１０８の駆動力によって、排出される。排出された後の収納器具１は、図２、図３のように、蓋５が開閉されて、第１開口部４が開放されて、内部に収納されている金券が取り出されるようになる。
【０１７４】
一方、図８では、ロック部材５１が挿入部５３に挿入されており、収納器具１が移動できない状態である。ロック部材５１の一方は、金券識別装置１００に固定されており（例えば制御部１２０を形成する壁面や柱などの構造物に固定されている）、他方が図８のように、挿入部５３に挿入されることで、収納器具１の移動が押しとどめられる。
【０１７５】
例えば、排出駆動手段１０８のモータが故障や誤動作によって暴走してしまう場合でも、ロック部材５１が挿入部５３に挿入されていることで、収納器具１の往復運動が阻止されて、排出も阻止される。
【０１７６】
ロック部材５１には、図７、図８に示されるように、挿入部５３に挿入される方向に圧力を付与させる弾性体５４を備えている。図７、図８で示される弾性体５４は、ロック部材５１の一部（特に、挿入部５３と逆側）にまきつけられたばねであり、このばねによって、ロック部材５１は通常状態においては、押し出される力を受ける。この押し出される力は、ロック部材５１を挿入部５３に挿入させる方向に向かわせる。
【０１７７】
ここで、弾性体５４によるロック部材５１の前後の移動（挿入部５３に入る移動と、挿入部５３から出る移動）は、弾性体５４が、ロック部材５１の側面に突出しているピン５７を押したり引いたりすることで、実現される。図７、図８に示されるように、ロック部材５１のある部分に、横に突出するように、ピン５７が設けられている。このピン５７に対して弾性体５４が引っ掛かるようになっている。この引っ掛かりによって、弾性体５４は、ピン５７を押したり引いたりできる。
【０１７８】
弾性体５４がピン５７を押し出すときには、この動きに合わせてロック部材５１が挿入部５３に向かって移動して挿入される。すなわち、収納器具１は、ロックされて排出や挿入の動きができないロック状態となる。逆に、弾性体５４がピン５７を引くときには（押し戻すときには）、この動きに合わせてロック部材５１が挿入部５３から遠ざかるようになり、挿入部５３からロック部材５１が外れる。こうなると、収納器具１が排出や挿入の動きをできるようになり、ロックが解除される。
【０１７９】
また、弾性体５４の位置を変化させる回動部材５２が、更に備えられる。回動部材５２は、図７、図８に示されるように、収納部材１の外側に設けられる。回動部材５２は、所定の位置に突起を有している。この突起５５は、ロック部材５１の周囲に巻き付けられている弾性体５４の位置を変化させる。弾性体５４の位置の変化は、上述のように、ロック部材５１から突出するピン５７の位置を変化させる。その後の動作は上述の通りである。
【０１８０】
突起５５は、回動部材５２の一部であるので、回動部材５２の回転によって、突起５５の位置が変化する。例えば、突起５５が第１位置に設定される場合と、第１位置と異なる第２位置に設定される場合とがある。例えば、回動部材５２は、収納器具１の排出指示や挿入指示のない「通常状態」である指示を受ける。この指示は、金券識別装置１００に対する機械的指示であったり、電気的指示であったりする。
【０１８１】
あるいは、回動部材５２は、同じような機械的指示や電気的指示によって、収納器具１の排出を命じられることもある。これは、「排出状態」である。例えば、運営者や管理者が所定の暗号を入力したり、所定のボタンを操作したりすることで、通常状態もしくは排出状態が設定される。
【０１８２】
このとき、通常状態では、回動部材５２は、突起５５を第１位置に設定する。図８は、この第１位置に、突起５５が設定されている状態を示している。突起５５が第１位置に設定されると、弾性体５４が挿入部５３側に押し出される。この弾性体５４の押し出しに合わせて、ピン５７の押し出しにあわせて、ロック部材５１も挿入部５３側に押し出される。押し出されれば、ロック部材５１の一部が挿入部５３に挿入されるので、収納器具１には、ロックが掛かった状態となる。このため、排出駆動手段１０８が駆動力を与えても、収納器具１は、排出されることがない。
【０１８３】
通常状態では、このように、ロック部材５１が挿入部５３に挿入されるように、回動部材５２が突起５５の位置を設定するので、収納器具１は、排出駆動手段１０８の誤動作、暴走、故障による不測の事態であっても、不正操作での排出駆動手段１の駆動が行われても収納器具１が排出されることがない。このため、収納器具１が事故で排出されたり不正に排出されたりして、収納器具１が収納する金券が紛失したり盗難されたりすることが防止される。
【０１８４】
一方、排出状態では、回動部材５２は、突起５５を第２位置に設定する。図７は、排出状態であるので、回動部材５２は、突起５５を第２位置に設定している。第２位置に設定される場合には、図７に示されるように、突起５５は、弾性体５４を、手前側（挿入部５３よりも遠い側）に引き戻す。この結果、弾性体５４の引き戻しに合わせて、ピン５７の戻りにあわせて、ロック部材５１も挿入部５３から遠ざかるようになり、挿入部５３からロック部材５１が外れる。ロック部材５１が挿入部５３から外れることで、排出状態で、収納器具１は、排出駆動手段１０８の駆動に従って、排出される。
【０１８５】
このように、排出状態では、ロック部材５１が設けられていても、排出を必要とする排出状態では、きちんと排出されて、運営者や管理者が、収納器具１に収納されている金券を回収することができる。
【０１８６】
また、収納器具１は、従来技術と異なり、金券識別装置１００と独立した要素となっており、格納と排出を繰り返す。このため、故障や劣化が生じることもありえる。あるいは、金券の種類によって異なる収納器具１が、同じ金券識別装置１００に用いられることもありえる。収納器具１が独立している本発明の場合には、このように、収納器具１のみを交換したり修理したりできる。この場合にも、ロック機構によって、排出が防止されたり、排出が確保されたりすることは好適である。
【０１８７】
なお、回動部材５２は、突起５５を第１位置と第２位置とに設定を切り替える。このとき、例えば光学センサーなどによって、突起５５の第１位置と第２位置との対応性を把握して、回動部材５２は、突起５５の位置を切り替える。
【０１８８】
また、回動部材５２は、突起５５を第１位置と第２位置との間を往復させることを目的としている。このとき、第１位置と第２位置とは、大きく離れていることは少ない。第１位置は、弾性体５４と離れていればよく、第２位置は、弾性体５４と接触していればよいからである。このため、回動部材５２は、一周分回転する必要は無く、第１位置と第２位置との間を往復運動する程度で十分である。
【０１８９】
この程度の往復運動で済むことで、通常状態と排出状態との切り替えが即座に行われるメリットがある上に、回動部材５２を回転させるための別途の駆動手段が不要となるメリットもある。
【０１９０】
また、図９は、ロック部材が挿入される様子を上方から見た状態を示している。上述で説明したように、ロック部材５１が、回動部材５２の回動で、挿入部５３に挿入されたり挿入されなかったりして、通常状態と排出状態とに分けられる。
【０１９１】
（他の盗難防止）
本発明の収納器具１は、蓋５が金券識別装置１００の出口１１０の蓋を兼ねると共に、金券識別装置１００と独立した要素で排出可能であることで、金券の回収や、金券識別装置１００の保守、修理、バリエーション拡大に効果的である。一方、実施の形態２で説明したように、ロック部材５１を用いて、誤動作もしくは不正操作による排出での盗難が防止される。
【０１９２】
この盗難防止は、他に排出駆動手段１０８そのものでの構造によって対応することも可能である。
【０１９３】
例えば、排出駆動手段１０８は、嵌合歯との嵌合を離隔する離隔機構および排出駆動手段と嵌合歯とを動力伝達との伝達を停止させる停止機構の少なくとも一つで、誤動作や不正操作による収納器具１の排出を防止してもよい。例えば、伝達機構における歯車を浮かせたり、特定の場合のみ歯車が嵌合したりするだけとするなどの手段で、収納器具１の排出を防止できる。
【０１９４】
このように、ロック部材５１以外に、排出駆動手段１０８そのものに、収納器具１の排出を防止する機構を設けることもよい。
【０１９５】
以上のように、実施の形態２の収納器具および金券識別装置は、収納器具１が排出されて金券の回収が容易となるだけでなく、誤動作や不正動作での不正排出防止を有している。この結果、実施の形態１で説明した効果と相まって、金券識別装置１００に、様々なバリエーションと利便性をもって、収納器具１が用いられるようになる。
【０１９６】
なお、実施の形態１〜２で説明された金券識別装置用収納器具および金券識別装置は、本発明の趣旨を説明する一例であり、本発明の趣旨を逸脱しない範囲での変形や改造を含む。
【符号の説明】
【０１９７】
１    収納器具
２    保管部
３    押し当て部
４    第１開口部
５    蓋
６    端部部材
７    側壁
８    底
９    表面
１１    嵌合歯
５１    ロック部材
５２    回動部材
５３    挿入部
５４    弾性体
５５    突起
１００    金券識別装置
１０１    筐体
１０３    挿入口
１０４    識別部
１０５    搬送部
１０８    排出駆動手段
１０９    搬送駆動手段
１１０    出口
１２０    制御部
【図１】
2014081854.tif 000003
【図２】
2014081854.tif 000004
【図３】
2014081854.tif 000005
【図４】
2014081854.tif 000006
【図５】
2014081854.tif 000007
【図６】
2014081854.tif 000008
【図７】
2014081854.tif 000009
【図８】
2014081854.tif 000010
【図９】
2014081854.tif 000011